【手続補正書】
【提出日】平成18年12月26日(2006.12.26)
【手続補正１】
【補正対象書類名】特許請求の範囲
【補正対象項目名】全文
【補正方法】変更
【補正の内容】
【特許請求の範囲】
【請求項１】
インタラクティブテレビ番組ガイドによりユーザーに商品を注文させる方法であって：
前記インタラクティブテレビ番組ガイドにより商品が注文可能であることをユーザーに示すオンスクリーンメッセージを提供する段階であり、前記商品がテレビ番組に関連した有体商品である段階；及び
前記インタラクティブテレビ番組ガイドによりユーザーに前記商品の注文をさせる段階；
から構成される方法。
【請求項２】
ユーザーが注文希望である旨のユーザー指示に応答して、ユーザー商品要求を生成する段階；
をさらに有する請求項１に記載の方法。
【請求項３】
ユーザーが注文希望である旨のユーザー指示に応答して、ディスプレイ上に商品を記述する追加的情報を表示する段階；
をさらに有する請求項１に記載の方法。
【請求項４】
商品の購入に対する所望の支払い方法をユーザーに選択させる段階；
をさらに有する請求項１に記載の方法。
【請求項５】
クレジットカードによる商品の購入を許す段階；
をさらに有する請求項１に記載の方法。
【請求項６】
商品の購入に対する所望の発送方法をユーザーに選択させる段階；
をさらに有する請求項１に記載の方法。
【請求項７】
番組サービス課金システムからユーザーの住所を抽出する段階；
をさらに有する請求項１に記載の方法。
【請求項８】
テレビ番組を表示する段階であり、テレビ番組の上部にオーバーレイとしてオンスクリーンメッセージを提供する段階；
をさらに有する請求項１に記載の方法。
【請求項９】
インタラクティブテレビ番組ガイドによりユーザーに商品を注文させるためのシステムであって：
前記インタラクティブテレビ番組ガイドにより商品が注文可能であることをユーザーに示すオンスクリーンメッセージを提供する手段であり、前記商品がテレビ番組に関連した有体商品である手段；及び
前記インタラクティブテレビ番組ガイドによりユーザーに前記商品の注文をさせる手段；
を有するシステム。
【請求項１０】
ユーザーが注文希望である旨のユーザー指示に応答して、ユーザー商品要求を生成する手段；
をさらに有する請求項９に記載のシステム。
【請求項１１】
ユーザーが注文希望である旨のユーザー指示に応答して、ディスプレイ上に商品を記述する追加的情報を表示する手段；
をさらに有する請求項９に記載のシステム。
【請求項１２】
商品の購入に対する所望の支払い方法をユーザーに選択させる手段；
をさらに有する請求項９に記載のシステム。
【請求項１３】
クレジットカードによる商品の購入を許す手段；
をさらに有する請求項９に記載のシステム。
【請求項１４】
商品の購入に対する所望の発送方法をユーザーに選択させる手段；
をさらに有する請求項９に記載のシステム。
【請求項１５】
番組サービス課金システムからユーザーの住所を抽出する手段；
をさらに有する請求項９に記載のシステム。
【請求項１６】
テレビ番組を表示する手段であり、テレビ番組の上部にオーバーレイとしてオンスクリーンメッセージが提供される手段；
をさらに有する請求項９に記載のシステム。
【請求項１７】
ユーザーにより制御されるデータプロセッサを用いて実行される電子テレビ番組ガイドによって、ユーザーに商品を注文させる方法であって：
前記電子テレビ番組ガイドにより番組リストを表示する段階；
電子的に供給されるビデオ以外であってテレビ番組に関係する商品が前記電子テレビ番組ガイドから購入可能であることを示す情報を、前記電子テレビ番組ガイドにより表示する段階；及び
前記電子テレビ番組ガイドを用いて、ユーザーに電子的に供給されるビデオ以外の商品の注文をさせる段階；
を有する方法。
【請求項１８】
購入可能な録画済みビデオについての情報を表示する段階；及び
前記録画済みビデオのための所望の媒体形式をユーザーに選択させる段階；
をさらに有する、請求項１７記載の方法。
【請求項１９】
商品の購入に対する所望の支払い方法をユーザーに選択させる段階；
をさらに有する、請求項１７記載の方法。
【請求項２０】
商品の購入に対する所望の発送方法をユーザーに選択させる段階；
をさらに有する、請求項１７記載の方法。
【請求項２１】
関連商品が入手可能であるリストされた１つの番組をユーザーにハイライトさせる段階；及び
前記１つの番組がハイライトされている間に、ユーザーに遠隔制御キーを押させることにより前記関連商品を購入させる段階；
をさらに有する、請求項１７記載の方法。
【請求項２２】
ユーザーに購入コードを入力させる画面を表示する段階；
をさらに有する、請求項１７記載の方法。
【請求項２３】
番組サービス請求システムからユーザーのアドレスを抽出する段階；
をさらに有する、請求項１７記載の方法。
【請求項２４】
テレビ番組を表示する段階；
リストされた１つの番組を同時に表示する段階；及び
前記商品が入手可能であることを示す情報を同時に表示する段階；
をさらに有する、請求項１７記載の方法。
【請求項２５】
前記番組リストのうちの任意の番組がコピープロテクトされたＰＰＶ番組のための番組であり；
前記商品が、前記のコピープロテクトされたＰＰＶ番組に関連する許可されたビデオであり；
さらに、
ユーザーに、電子テレビ番組ガイドを用いて前記のコピープロテクトされたＰＰＶ番組に関連する許可されたビデオを注文させる段階；
を有する、請求項１７記載の方法。
【請求項２６】
前記データプロセッサがメモリーに接続され；
さらに、
前記番組リストのための番組スケジュール情報を前記メモリー内に記憶する段階；及び
前記商品が電子テレビ番組ガイドを用いて注文可能であることを示すデータを、前記スケジュール情報とともに記憶する段階；
を有する、請求項１７記載の方法。
【請求項２７】
前記データプロセッサがメモリーに接続され；
さらに、
前記番組リストのための番組スケジュール情報を前記メモリー内に記憶する段階；及び
前記商品の記述を、前記スケジュール情報とともに記憶する段階；
を有する、請求項１７記載の方法。
【請求項２８】
前記電子テレビ番組ガイドを用いて、異なるカテゴリーの商品についての情報をユーザーに表示する段階；
をさらに有する、請求項１７記載の方法。
【請求項２９】
前記プロセッサがケーブルに接続され、該ケーブルが別の処理センターに接続されたヘッドエンドに接続されており；
さらに、
前記ケーブルを使って注文をヘッドエンドに送信する段階；及び
前記ヘッドエンドからの注文を前記別の処理センターに転送する段階；
を有する、請求項１７記載の方法。
【請求項３０】
前記データプロセッサが電話回線に接続され；
さらに、
前記注文を前記電話回線上で送信する段階；
を有する、請求項１７記載の方法。
【請求項３１】
テレビ番組を表示する段階；及び
前記テレビ番組の上部に商品の入手可能性を示すインディケータを重畳させる段階；
をさらに有する、請求項１７記載の方法。
【請求項３２】
ユーザーが商品についての情報を受信するメイリングリストに載りたいということの要求をさせる段階；
をさらに有する、請求項１７記載の方法。
【請求項３３】
前記商品がテレビコマーシャルに関連し；
さらに、
前記テレビコマーシャルのためのテレビ信号を受信する段階；
前記テレビコマーシャルを表示する段階；及び
前記テレビ信号から商品についての情報を抽出する段階；
を有する、請求項１７記載の方法。
【請求項３４】
テレビ信号と共に、商品についての情報を提供する段階；及び
前記テレビ信号から、商品についての情報を抽出する段階；
をさらに有する、請求項１７記載の方法。
【請求項３５】
前記商品がテレビ番組に関連し；
さらに、前記テレビ番組のための信号を受信する段階；
前記テレビ番組を表示する段階；
前記テレビ信号から、前記商品についての情報を抽出する段階；及び
ユーザーが遠隔制御ボタンを押すと、前記商品についての情報をユーザーに表示する段階；
を有する、請求項１７記載の方法。
【請求項３６】
前記電子テレビ番組ガイドを用いてユーザーによりなされた注文の時刻及び日付をスタンプする段階；
をさらに有する、請求項１７記載の方法。